(57)【要約】【課題】小型かつ安価で、防水性能の良好な一次放射器、同一次放射器を搭載した電波受信用コンバータおよびアンテナを提供する。【解決手段】一次放射器１のコーン部１ａの先端に筒状嵌合部１ｂが外側で段部を介して一体形成され、その筒状嵌合部１ｂの先端に先端リブ１ｃが一体形成され、防水カバー２の天井部から外周壁２ｂが一体形成される。外周壁２ｂが筒状嵌合部１ｂの外側に嵌合し、外周壁２ｂの内側に突設された爪部２ｄが段部１ｅに係合する。そして、防水カバー２の天井部の内面から前記外周壁に同心に、一体形成されたリング状リブと、前記フィードホーンの先端リブと、前記防水カバーの外周壁とリング状リブとの間の天井部２ａとの間に、挿入されたゴム系材料からなるパッキン６とを備えている。【選択図】図１
2009152744.tif 000002
【特許請求の範囲】
【請求項１】
コーン部の先端に、このコーン部との境界において外側に段部を有するように筒状嵌合部が一体形成されたフィードホーンと、
前記筒状嵌合部の先端に一体形成された先端リブと、
天井部および外周壁が一体形成され、該外周壁が前記嵌合部の外側に嵌合し、前記外周壁の内側に突設された爪部が前記段部に係合する防水カバーと、
前記防水カバーの前記天井部の内面に、前記外周壁と同心状に、前記天井部および前記外周壁と一体成形されたリング状リブとを備え、
前記フィードホーンの前記先端リブと、前記防水カバーの前記外周壁および前記天井部と、前記リング状リブととによって囲まれるリング状の領域に、ゴム系材料からなるパッキンが挿入された、一次放射器。
【請求項２】
前記ゴム系材料のパッキンの材料が、接着力を持つ液状シーリング材を注入して硬化させたものである、請求項１に記載の一次放射器。
【請求項３】
前記ゴム系材料のパッキンは、断面形状が円形のＯリングである、請求項１の一次放射器。
【請求項４】
前記ゴム系材料のパッキンは、断面形状が方形である、請求項１の一次放射器。
【請求項５】
前記ゴム系材料のパッキンは、断面形状が三角形である、請求項１の一次放射器。
【請求項６】
コーン部の先端に、このコーン部との境界において外側に段部を有するように筒状嵌合部が一体形成されたフィードホーンと、
前記筒状嵌合部の先端に一体形成された先端リブと、
天井部および外周壁が一体形成され、該外周壁が前記嵌合部の外側に嵌合し、前記外周壁の内側に突設された爪部が前記段部に係合する防水カバーとを備え、
前記フィードホーンの前記先端リブと、前記防水カバーの前記外周壁および前記天井部との間に、前記先端リブに嵌め込まれた、コの字型断面のゴム系材料からなるパッキンを含む、一次放射器。
【請求項７】
コーン部の先端に、このコーン部との境界において外側に段部を有するように筒状嵌合部が一体形成されたフィードホーンと、
前記筒状嵌合部の先端に一体形成された先端リブと、
天井部および外周壁が一体形成され、該外周壁が前記嵌合部の外側に嵌合し、前記外周壁の内側に突設された爪部が前記段部に係合する防水カバーと、
前記防水カバーの前記天井部の内面に、前記外周壁と同心状に、前記天井部および前記外周壁と一体成形されたリング状リブとを備え、
前記フィードホーンの前記先端リブの内面と、前記先端リブの内面に続く段部と、前記防水カバーのリング状リブとの間に、コの字型断面のゴム系材料からなるパッキンが、前記リング状リブに嵌合するように挿入された、一次放射器。
【請求項８】
コーン部の先端に、このコーン部との境界において外側に段部を有するように筒状嵌合部が一体形成されたフィードホーンと、
前記筒状嵌合部の先端に一体形成された先端リブと、
天井部および外周壁が一体形成され、該外周壁が前記嵌合部の外側に嵌合し、前記外周壁の内側に突設された爪部が前記段部に係合する防水カバーと、
前記防水カバーの前記天井部の内面に、前記外周壁と同心状に、前記天井部および前記外周壁と一体成形されたリング状リブとを備え、
前記防水カバーの前記天井部と前記フィードホーンの前記先端リブとの間から、前記先端リブの内面とそれに続く段部と、前記防水カバーの前記リング状リブとの間にかけての領域に、ゴム系材料からなるパッキンが、前記リング状リブに嵌合するように挿入された、一次放射器。
【請求項９】
請求項１〜８のいずれか１項に記載の一次放射器を備えた、電波受信用コンバータ。
【請求項１０】
請求項９に記載の電波受信用コンバータを備えたアンテナ。
【発明の詳細な説明】
【技術分野】
【０００１】
本発明は、人口衛星から送信される電波をパラボラ反射鏡を用いて受信するのに適切な衛星受信用の一次放射器とそれを備えた電波受信用コンバータおよびアンテナに関するものである。
【背景技術】
【０００２】
まず、本発明に関連する一時放射器の第１の従来例を、図１０に基づいて説明する。通常、衛星放送受信用のパラボラアンテナは屋外で使用されるため、搭載される一次放射器も防水性能が必要である。一次放射器１２の外周部で先端リブ部１２ａから少し入ったところに、平面部１２ｃを設け、そこにゴム系材料からなるＯリングなどのパッキン１４を挿入する。そして、一次放射器１２の外周部には、電波を通すためのプラスチック材料からなる防水カバー１３をかぶせ、その内側に設けられた段差平面１３ａと、一次放射器１２の段差平面１２ｃとの間でパッキン１４を押圧する。
【０００３】
また、パッキン押圧手段として、防水カバー１３の後部に爪部１３ｂを設ける。これにより、一次放射器１２の段差面１２ｃより外側後部に設けられた爪かん合面１２ｂに、防水カバー１３の爪部１３ｂが強固に嵌合して、パッキンを圧縮させている。本構造により、防水カバー１３と一次放射器１２の防水性能は保持できる。
【０００４】
次に、一次放射器の第２の従来例を、図１１に基づいて説明する。この従来例においては、一次放射器１５の外周部に溝部１５ｂを設け、その溝部にゴム系材料からなるＯリング１７を嵌めこむ。その状態で、防水カバー１６を覆いかぶせる。防水カバー１６は、後部に設けられた爪部１６ｂと一次放射器１５の溝部後方の段差部１５ｃに、嵌合することで固定される。防水カバー１６の内周面と一次放射器の溝部円筒面の間でＯリングが圧縮されることで、防水性能が保持されている。
【０００５】
また、一次放射器のその他の従来例として、特許文献１に記載のものがある。特許文献１に記載の技術は次のようなものである。ホーンアンテナ開口部近傍の外壁と周囲に、円筒部を有するフィードドーム（カバー）をねじ込み、その接合部を接着剤を用いて固定密閉する。一次放射器のさらに他の従来例として、特許文献２に記載のものがある。特許文献２に記載の技術は次のようなものである。ホーンアンテナの開口を形成する管壁の開口側の一部に取付溝を設け、またフィードドーム（カバー）の一部にポストを設ける。フィードドームのポストを上記の取付溝に挿入し、フィードドームを回転することにより、上記ホーンアンテナ開口部を覆うように取り付ける。
【特許文献１】実開昭６０−１７２４０４号
【特許文献２】実開昭６１−０３５４０５号
【発明の開示】
【発明が解決しようとする課題】
【０００６】
しかしながら、上記各従来例の一次放射器においては、次のような問題があった。図１０に示す第１の従来例では、Ｏリング嵌合面を一次放射器の外周外側に設けているため、外形が大きくなり、部品の材料費も増えコスト高になってしまう。また、図１１に示す第２の従来例ではＯリングかん合面を外周溝部に設けているため、第１の従来例よりは外形を小さくすることができる。しかし、円筒面に対してＯリングを押圧するために、防水カバーの外周を厚くして強度を上げなければならない。すなわち、防水カバーの外周の厚みが十分でないと、Ｏリングのゴム弾性に負け、Ｏリングを押圧できなくなる。そのため、防水カバーの外周を厚くする必要があることから、防水カバーの材料費は割高になってしまう。
【０００７】
また、通常、一次放射器はダイカスト鋳造で製作される場合が多く、抜き型の関係で、Ｏリング嵌合溝部に抜き型の合わせ部ができる。その合わせ部にバリが発生するので、それを除去するため、旋盤などの機械加工が必要になるためコスト高となる。さらに、防水キャップを嵌合させるとき、爪部がＯリングに引っかかり、Ｏリングに傷をつけてしまうことがある。またはＯリングを引っ掛けて、Ｏリングをねじってしまい、防水不良の原因になってしまう。また、特許文献１，２の技術においても、外形が大きくなってしまう。
【０００８】
本発明は上記問題点を解消し、小型かつ安価で、防止性能の良好な一次放射器を提供するとともに、そのような一次放射器を搭載した電波受信用コンバータおよびアンテナを提供することを目的とする。
【課題を解決するための手段】
【０００９】
上記課題を解決する本発明の一次放射器は、一つの局面においては、コーン部の先端に、このコーン部との境界において外側に段部を有するように筒状嵌合部が一体形成されたフィードホーンと、筒状嵌合部の先端に一体形成された先端リブと、天井部および外周壁が一体形成され、該外周壁が前記嵌合部の外側に嵌合し、前記外周壁の内側に突設された爪部が前記段部に係合する防水カバーと、防水カバーの前記天井部の内面に、前記外周壁と同心状に、前記天井部および前記外周壁と一体成形されたリング状リブとを備える。この発明の特徴は、フィードホーンの先端リブと、前記防水カバーの前記外周壁および前記天井部と、前記リング状リブととによって囲まれるリング状の領域に、ゴム系材料からなるパッキンが挿入されている天にある。
【００１０】
ゴム系材料のパッキンの材料として、接着力を持つ液状シーリング材を注入して硬化させたもの、断面形状が円形のＯリング、断面形状が方形のもの、あるいは断面形状が三角形のものを用いることができる。
【００１１】
本発明の一次放射器は、他の局面においては、前記フィードホーンの前記先端リブと、前記防水カバーの前記外周壁および前記天井部との間に、前記先端リブに嵌め込まれた、コの字型断面のゴム系材料からなるパッキンを含む。また、さらに他の局面においては、前記フィードホーンの前記先端リブの内面と、前記先端リブの内面に続く段部と、前記防水カバーのリング状リブとの間に、コの字型断面のゴム系材料からなるパッキンが、前記リング状リブに嵌合するように挿入されている。また、さらに他の局面においては、前記防水カバーの前記天井部と前記フィードホーンの前記先端リブとの間から、前記先端リブの内面とそれに続く段部と、前記防水カバーの前記リング状リブとの間にかけての領域に、ゴム系材料からなるパッキンが、前記リング状リブに嵌合するように挿入されている。
【００１２】
本発明には、上述の一次放射器を備えた、電波受信用コンバータ、および、その電波受信用コンバータを備えたアンテナが含まれる。
【発明の効果】
【００１３】
以上のように本発明により、小型で、安価で、防止性能の良好な一次放射器を提供できるとともに、本一次放射器を搭載した電波受信用コンバータおよびアンテナを提供することが可能となる。
【発明を実施するための最良の形態】
【００１４】
（実施形態１）
以下に本発明の実施形態を図面に基づき説明する。図１は本発明の実施形態１の一次放射器を示し、（ａ）はその防水カバーのみ、（ｂ）は当該一次放射器全体の断面をそれぞれ示している。本実施形態の一時放射器においては、フィードホーン１のコーン部１ａの先端に円筒状嵌合部１ｂが外側で段部１ｄを介して一体形成され、円筒状嵌合部１ｂの先端に先端リブ１ｃが一体形成される。防水カバー２の円形天井部２ａから円筒外周壁２ｂが一体形成されている。また、外周壁２ｂが嵌合部１ｂの外側に嵌合し、外周壁２ｂの内側に突設された爪部２ｄが、段部１ｄに係合している。ここで、防水カバー２の円形天井部２ａの内面から円筒外周壁２ｂに同心に、リング状リブ２ｃが一体形成されている。そして、フィードホーン１の先端リブ１ｃと、防水カバー２の円筒外周壁２ｂとリング状リブ２ｃとの間の天井部２ａとの間に、パッキンが挿入されている。
【００１５】
このように、主にポリプロピレン、ＡＢＳ樹脂などのプラスチック材で射出成形によって製作された防水カバー２の天井部２ａ内面に、リング状のリブ２ｃを設け、外周壁２ｂとリブ２ｃとの間に接着力のある液状シーリング材３を注入する。その後に、金属材料で主にアルミダイカストや亜鉛ダイカストで製作される一次放射器１に被せる。液状シーリング材３は、リブ２ｃの外周面と一次放射器の先端リブ１ｃの内側面とを接着固定する。また、この液状シーリング材３は、一次放射器の先端リブ１ｃの先端面と、防水カバーの外周壁２ｂとリブ２ｃの間の天井部２ａ内面とも接着固定する。防水カバー２は、その爪部２ｄを一次放射器の外周部に設けられた段部１ｄに嵌合させることにより固定される。このような構造を有することにより、実施形態１の一次放射器によれば、一次放射器の開口面の防水機能が保持でき、しかも従来例よりも外形を小さくすることが可能となる。
【００１６】
次に、本発明の実施形態１の一つの変形例を、図２に基づいて説明する。この変形例では、図１に示した実施形態における液状シーリング材３の代わりに、ゴム材でできたＯリング４を用いている。このように、Ｏリング４を用いることにより、液状シーリング材を用いた場合の硬化のための時間を要しないため、作業時間を短縮することができる。
【００１７】
次に、本発明の実施形態１の他の変形例を、図３に基づいて説明する。この変形例では、図２に示した変形例におけるＯリング４の代わりに、断面形状が方形のリングパッキン５を用いている。断面が方形のリングパッキン５は、Ｏリングと異なり、ゴム板の打ち抜きで製作できるため、高価な金型を使用する必要がなくなるという利点がある。
【００１８】
次に、本発明の実施形態１のさらに他の変形例を、図４に基づいて説明する。この変形例では、図２に示した変形例におけるＯリング４の代わりに、断面形状が三角形のリングパッキン６を用いている。断面を三角形にすると、図４に示すように、ゴムを圧縮したときの変形が円周方向にも押圧されるため、ゴムの接触面積が増え、防水性能が安定する。
【００１９】
（実施形態２）
次に、本発明の実施形態２の一次放射器について、図５に基づいて説明する。実施形態２の一次放射器においては、フィードホーン１の円筒状嵌合部１ｂの先端側で、外側で段部１ｅを介して先端リブ１ｃが一体形成される。そして、フィードホーン１の先端リブ１ｃと、防水カバー２の円筒外周壁２ｂおよび天井部２ａとの間に、コの字型断面のゴム製パッキン７が挿入されている。このように、本実施形態においては、一次放射器のフィードホーン１の最先端部の全周囲にわたる金属リブ１ｃに、コの字型断面のゴム製リングパッキン７の溝部を嵌め込んで固定し、その上から防水カバー２で覆うことにより、防水カバー天井部２ａの内面とリブ１ａの端面間に気密性を持たせている。
【００２０】
次に、本発明の実施形態２の一つの変形例を、図６に基づいて説明する。この変形例では、フィードホーン１の円筒状嵌合部１ｂの先端側で、内側で段部１ｆを介して先端リブ１ｃが一体形成される。そして、フィードホーン１の先端リブ１ｃと、防水カバー２の円筒外周壁２ｂとリング状リブ２ｃとの間の天井部２ａとの間に、パッキン８が挿入されている。
【００２１】
このように、一次放射器１の開口面の先端部のリブ１ａの端面から内側に段部１ｆ（段差平面部）を設けて、この段差平面部と、防水カバー２のリング状のリブ２ａとの間で、
コの字型断面のゴム製リングパッキン８の溝部を嵌めこんで固定する。そして、一次放射器の段差平面部１ｆと防水カバーのリング状リブ２ｃの先端面との間で、防水性能を保持
している。一次放射器の先端部は一般に、製作工程の際に打痕などが付きやすいため、シール構造が一次放射器の先端に近いほど、防水不良が生じる可能性が高くなる。そのため、本変形例のように、一段内側に入った段差平面部１ｆで防水機能を保持させることにより、防水不良が生じにくいため、一次放射器の製造時の歩止りが向上する。
【００２２】
次に、本発明の実施形態２の他の変形例を、図７に基づいて説明する。この変形例においては、リングパッキン９の外周部が、防水カバー２のリブ２ｃと外周壁２ｂの間の天井部２ａ内面まで延長されている。このように、フィードホーン１の先端リブ１ｃ端面と間でも防水性能を持たせることにより、パッキンの接触面積が大きくなり、より防水性能が安定する。
【００２３】
（本発明の適用例）
本発明の上記各実施形態およびその変形例に示した一次放射器１２は、図８に示すように、電波受信用コンバータ１０に搭載することができる。また、このような一次放射器１２および電波受信用コンバータ１０は、パラボラアンテナ１１と組合せて、図９に示すようなパラボラアンテナ装置を構成することができる。図９に示すパラボラアンテナ装置において、パラボラアンテナ１１で反射された電波は、一次放射器１２で集められて、コンバータ１０へ送られる。コンバータ１０で電波は増幅され、周波数変換されて信号になり、出力端子１０ａから出力され、同軸ケーブル１４を介してレシーバーやＴＶに送られる。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２５】
【図１】（ａ）は、本発明の実施形態１の防水カバーを示す断面図、（ｂ）は、同実施形態１の一次放射器の断面図である。
【図２】（ａ）は、本発明の実施形態１の一変形例における防水カバーを示す断面図、（ｂ）は、同変形例の一次放射器の断面図である。
【図３】（ａ）は、本発明の実施形態１の他の変形例における防水カバーを示す断面図、（ｂ）は、同変形例の一次放射器の断面図である。
【図４】（ａ）は、本発明の実施形態１の、さらに他の変形例における防水カバーを示す断面図、（ｂ）は、同変形例の一次放射器の断面図である。
【図５】（ａ）は、本発明の実施形態２の防水カバーを示す断面図、（ｂ）は、同実施形態２の一次放射器の断面図である。
【図６】本発明の実施形態２の一変形例における防水カバーを示す断面図、（ｂ）は、同変形例の一次放射器の断面図である。
【図７】（ａ）は、本発明の実施形態３の防水カバーを示す断面図、（ｂ）は、同実施形態３の一次放射器の断面図である。
【図８】本発明の一次放射器を用いた電波受信用コンバータの概略図である。
【図９】本発明の一次放射器を用いた電波受信用コンバータを搭載したパラボラアンテナの概略図である。
【図１０】（ａ）は、第１の従来例の一次放射器の防水カバーを示す断面図、（ｂ）は同従来例の一次放射器を示す断面図である。
【図１１】（ａ）は、第２の従来例の一次放射器の防水カバーを示す断面図、（ｂ）は、同従来例の一次放射器を組立肯定を示す断面図、（ｃ）は、同従来例の一次放射器の組立て状態を示す断面図である。
【符号の説明】
【００２６】
１  一次放射器、１ａ  コーン部、１ｂ  円筒状嵌合部、１ｃ  先端リブ、１ｄ  段部、１ｅ  段部、１ｆ  段部、２  防水カバー、２ａ  天井部、２ｂ  外周壁、２ｃ  リング状リブ、２ｄ  爪部、３  液状シーリング材、４  ゴム系材料のＯリング、５  ゴム系材料の断面形状方形のリングパッキン、６  ゴム系材料の断面形状三角形のリングパッキン、７  ゴム系材料の断面形状コの字型のリングパッキン、８  ゴム系材料の断面形状コの字型のリングパッキン、９  ゴム系材料の特殊断面形状のリングパッキン、１０  電波受信用コンバータ本体、１０ｂ  同軸ケーブル、１１  パラボラアンテナ。
【図１】
2009152744.tif 000003
【図２】
2009152744.tif 000004
【図３】
2009152744.tif 000005
【図４】
2009152744.tif 000006
【図５】
2009152744.tif 000007
【図６】
2009152744.tif 000008
【図７】
2009152744.tif 000009
【図８】
2009152744.tif 000010
【図９】
2009152744.tif 000011
【図１０】
2009152744.tif 000012
【図１１】
2009152744.tif 000013